(57)【特許請求の範囲】
【請求項１】
主装置にボタン電話機を収容するとともに、予め着信用外線及び発信用外線の何れかの外線として設定された複数の外線を前記主装置に収容し、着信用外線の着信呼を検出すると発信用外線を介して予め設定された転送先へ発信し、着信用外線と発信用外線間を接続して着信呼を発信用外線へ転送する転送機能を有するボタン電話装置において、
前記主装置は、
前記転送機能に基づく通話中の着信用外線への着信割込呼の到来時にこの着信割込呼に伴って前記着信用外線へ到来する着信割込者の情報を検出する検出手段と、
前記着信用外線へ切替信号を送出し着信割込呼を発信用外線に接続する接続手段と、
前記検出手段により検出された着信割込者の情報に基づき前記接続手段を制御する制御手段と
を備えたことを特徴とするボタン電話装置。
【請求項２】
請求項１において、
前記主装置は、
前記着信割込呼の転送を拒否するための転送拒否番号を記憶する記憶手段を備え、
前記制御手段は、前記着信割込者の情報を示す電話番号と前記記憶手段の転送拒否番号との一致を検出すると前記着信割込呼の転送先への転送を阻止するようにしたことを特徴とするボタン電話装置。
【請求項３】
請求項１において、
前記主装置は、
前記転送先への着信の優先順位を記憶するテーブルと、
着信用外線へ切替信号を送出する切替信号送出手段と、
着信用外線へ所定のメッセージ信号を送出するメッセージ信号送出手段と
を備え、
前記制御手段は、
前記着信割込時に、前記転送先と通話中の第１の相手先と前記着信割込者を示す第２の相手先との間の着信優先順位を前記テーブルの情報にしたがって判別する判別手段と、
前記判別手段により第２の相手先が着信優先順位が低いと判別されたときに前記切替信号送出手段から切替信号を着信用外線へ送出して第２の相手先と接続しかつ前記メッセージ信号送出手段から所定のメッセージ信号を第２の相手先へ送出させるとともに、このメッセージ信号の送出後、前記切替信号送出手段から切替信号を着信用外線へ送出して第１の相手先と接続し第１の相手先と転送先との通話を続行させる通話続行手段と、
前記続行中の通話の終話を検出すると前記切替信号送出手段から切替信号を着信用外線へ送出して第２の相手先との接続を行い、第２の相手先が着信用外線に接続中の場合は前記転送先との通話を行わせる一方、第２の相手先が着信用外線に接続されていない場合は着信用外線及び発信用外線間の接続を切断し、かつ着信用外線及び発信用外線を開放する転送通話終了手段と
を備えたことを特徴とするボタン電話装置。
【発明の詳細な説明】
【０００１】
【発明の属する技術分野】
本発明は、着信の転送機能を有するボタン電話装置に関する。
【０００２】
【従来の技術】
交換機能を有する主装置に複数の外線を収容するとともに、複数のボタン電話機を内線電話機として前記主装置に収容するこの種のボタン電話装置の中には、着信の転送機能を有するものがある。このような転送機能を有するボタン電話装置は、主装置に収容される複数の外線を、予め着信用外線と発信用外線とに分け、着信用外線に発信側からの着信が到来すると、主装置は予め転送先として登録されている電話番号を発信用外線から発信する。そして、この発信に対する転送先の応答を検出すると、主装置は着信用外線の着信に自動的に応答するとともに発信用外線と着信用外線とを接続する。これにより、発信側と転送先とが主装置を介して相互に接続され発信側と転送先とによる通話が可能になる。
【０００３】
一方、このようなボタン電話装置を収容する交換網は、通話中の利用者に対して着信割込を可能にするキャッチホンサービスと呼ばれる着信割込サービスを提供している。ここで、ボタン電話装置に対して前記着信割込サービスが提供されていれば、このボタン電話装置の利用者による外線通話中にこの利用者に対して着信要求があれば交換網側からその通話外線へ着信割込が報知され、この場合ボタン電話装置の外線通話中の利用者はその着信割込に気づいて所定操作を行うとその着信割込に応答することができる。
【０００４】
【発明が解決しようとする課題】
近年は、着信時に交換網から発信側のＩＤ（発信者電話番号）を着信側へ通知するサービスが提供されており、こうしたサービスに加入すれば着信時に着信側には発信者電話番号が通知され、着信側では着信応答前に発信者が誰であるかを容易に認識することができる。こうした発信者電話番号通知機能をボタン電話装置における前述の転送通話中の着信割込の際にも適用したいという要望があるが、こうした場合にボタン電話装置の本来の機能である着信拒否機能や、着信優先順位機能に不具合が生じるという課題があった。
したがって、本発明は、ボタン電話装置における転送通話中の着信割込の際に発ＩＤ通知機能を適用した場合にボタン電話装置の本来の機能である着信拒否機能や着信優先順位機能を損なうことなくこの着信割込呼の転送を可能にすることを目的とする。
【０００５】
【課題を解決するための手段】
このような課題を解決するために本発明は、主装置にボタン電話機を収容するとともに、予め着信用外線及び発信用外線の何れかの外線として設定された複数の外線を前記主装置に収容し、着信用外線の着信呼を検出すると発信用外線を介して予め設定された転送先へ発信し、着信用外線と発信用外線間を接続して着信呼を発信用外線へ転送する転送機能を有するボタン電話装置において、主装置は、転送機能に基づく通話中の着信用外線への着信割込呼の到来時にこの着信割込呼に伴って着信用外線へ到来する着信割込者の情報を検出する検出手段と、着信用外線へ切替信号を送出し着信割込呼を発信用外線に接続する接続手段と、検出手段により検出された着信割込者の情報に基づき接続手段を制御する制御手段とを有するものである。
また、主装置は、着信割込呼の転送を拒否するための転送拒否番号を記憶する記憶手段を有し、制御手段は、着信割込者の情報を示す電話番号と記憶手段の転送拒否番号との一致を検出すると着信割込呼を転送先へ転送しないようにしたものである。
【０００６】
また、主装置は、転送先への着信の優先順位を記憶するテーブルと、着信用外線へ切替信号を送出する切替信号送出手段と、着信用外線へ所定のメッセージ信号を送出するメッセージ信号送出手段とを有し、かつ制御手段は、着信割込時に、転送先と通話中の第１の相手先と着信割込者を示す第２の相手先との間の着信優先順位をテーブルの情報にしたがって判別する判別手段と、判別手段により第２の相手先が着信優先順位が低いと判別されたときに切替信号送出手段から切替信号を着信用外線へ送出して第２の相手先と接続しかつメッセージ信号送出手段から所定のメッセージ信号を第２の相手先へ送出させるとともに、このメッセージ信号の送出後、切替信号送出手段から切替信号を着信用外線へ送出して第１の相手先と接続し第１の相手先と転送先との通話を続行させる通話続行手段と、続行中の通話の終話を検出すると切替信号送出手段から切替信号を着信用外線へ送出して第２の相手先との接続を行い、第２の相手先が着信用外線に接続中の場合は転送先との通話を行わせる一方、第２の相手先が着信用外線に接続されていない場合は着信用外線及び発信用外線間の接続を切断し、かつ着信用外線及び発信用外線を開放する転送通話終了手段とを有するものである。
【０００７】
【発明の実施の形態】
以下、本発明について図面を参照して説明する。
図１は、本発明に係るボタン電話装置の構成を示すブロック図である。このボタン電話装置は、交換網１に接続される複数の外線からなる外線群１１を収容するとともに交換機能を有する主装置１０と、主装置１０に収容される複数のボタン電話機（以下、子機）２０Ａ〜２０Ｎとからなる。
【０００８】
主装置１０は、外線群１１のインタフェースである外線Ｉ／Ｆ部１２と、複数の子機２０Ａ〜２０Ｎのインタフェースである内線Ｉ／Ｆ部１３と、外線群１１中の各外線と子機２０Ａ〜２０Ｎ間の通話パスを接続する通話路スイッチである交換処理部１４と、主装置１０内の各部を制御する主制御部１５と、各種のデータを記憶する主記憶部１６とからなる。なお、主装置１０には、外線着信時に発呼側の電話番号（以下、発ＩＤ）を受信する情報受信部１７と、外線へ切替信号を示すフラッシュ信号を送出するフラッシュ送出部１８と、外線へ所定のメッセージ信号を送出するメッセージ送出部１９とが設けられている。
【０００９】
一方、子機２０Ａ〜２０Ｎは、それぞれ、主装置１０とのデータ伝送を行う伝送Ｉ／Ｆ部２１と、通話回路２２と、子機の各部を制御する子機制御部２３と、ダイヤルキーや外線キー等の操作入力部２４と、表示部２５と、メモリ２６とを有する。
【００１０】
ところで、本ボタン電話装置は、収容した外線群１１のうち後述の図２に示すように外線１１Ａを着信用外線、外線１１Ｂを発信用外線としてそれぞれ設定し、外線１１Ａに着信呼が到来すると予め主装置１０の主記憶部１６に記憶されている転送先の電話番号を発信用外線１１Ｂを介して発信し、この発信に対して転送先が応答すると着信用外線１１Ａの着信呼に応答するとともに、着信用外線１１Ａと発信用外線１１Ｂとを接続して発呼側と転送先との通話を可能にする着信の転送機能を有している。
【００１１】
このようなボタン電話装置の転送機能について前述した図１、及び後述の図２，図３を参照してさらに詳細に説明する。
図２に示す発呼者Ａが本ボタン電話装置５の収容外線１１Ａの電話番号を発呼すると、この発呼に基づく着信呼が外線１１Ａに到来する。ここで、常時はこの着信呼は例えば子機２０Ａの利用者宛に報知され、子機２０Ａの利用者の着信応答操作により、発呼者Ａは子機２０Ａの利用者と通話が可能である。しかし、子機２０Ａの利用者が所用で遠隔地に出張するような場合は、その外線１１Ａは着信用として設定され、かつ外線１１Ｂは発信用として設定されるとともに子機２０Ａの利用者が使用する前記遠隔地の電話端末の電話番号が転送先Ｂの電話番号として主記憶部１６に記憶される。
【００１２】
このような場合、外線１１Ａに着信が到来すると、主装置１０内の主制御部１５は外線Ｉ／Ｆ部１２を制御して発信用外線１１Ｂを捕捉させ、かつ主記憶部１６の図３に示すテーブル１６Ａに記憶されている転送先Ｂの電話番号を読み出して外線Ｉ／Ｆ部１２へ送出することにより、発信用外線１１Ｂへダイヤル信号として送出させ、転送先Ｂの電話端末への呼出を行う。この呼出に対して転送先Ｂの端末の応答を外線Ｉ／Ｆ１２を介して検出すると、主制御部１５は着信用外線１１Ａの着信呼に自動応答するとともに図１に示す交換処理部１４を制御して着信用外線１１Ａと発信用外線１１Ｂ間の通話パスを接続する。これにより、発呼者Ａと転送先Ｂとの通話が可能になる。
【００１３】
このような外線転送通話中に、図２に示す発呼者Ｃが子機２０Ａの利用者と通話を行うために、本ボタン電話装置５の着信用外線１１Ａの電話番号を発呼すると、この着信用外線１１Ａがキャッチホンサービスと呼ばれる着信割込サービスに加入している場合は、交換網１から通話中の着信用外線１１Ａへ着信割込が到来する。また、発呼者Ｃが発ＩＤ通知機能サービスに加入していれば前記着信割込の際に交換網１から発呼者Ｃの電話番号が発ＩＤとして着信用外線１１Ａを介して主装置１０側へ通知される。
【００１４】
この場合、主装置１０の主制御部１５は、外線Ｉ／Ｆ部１２を介して前記着信割込を検出すると、この着信割込の際に交換網１から通知され情報受信部１７で受信された発ＩＤを入力する。
主制御部１５は、入力した発ＩＤが主記憶部１６内の図３に示すテーブル１６Ｂに記憶されている転送拒否番号に一致するか否かを判断し、一致する場合はこの着信割込に対して何も処理しない。
【００１５】
一方、入力した発ＩＤがテーブル１６Ｂ内の転送拒否番号と一致しない場合は、主制御部１５は次に、主記憶部１６内の図３に示すテーブル１６の着信優先順位を参照して、入力した発呼者Ｃの発ＩＤと、通話中の発呼者Ａの電話番号との優先順位を比較する。この場合、主制御部１５は、優先順位の高低（図３のテーブル１６Ｃでは、優先順位は高い方から順に▲１▼→▲２▼→▲３▼→▲４▼となっている）に応じた着信呼の転送処理を行う。
【００１６】
図４及び図５は前述した外線転送通話中の着信割込の動作を示すシーケンス図である。ここで、図４は発呼者Ａの方が発呼者Ｃより着信優先順位が高い場合の動作を示し、図５は発呼者Ｃの方が発呼者Ａより着信優先順位が高い場合の動作を示すものである。
【００１７】
まず、図４のシーケンス図にしたがって外線転送通話中の着信割込動作を詳細に説明する。
発呼者Ａの発呼に基づく着信が着信用外線１１Ａに到来すると、主装置１０内の主制御部１５は外線Ｉ／Ｆ部１２を制御して発信用外線１１Ｂを捕捉し、かつ主記憶部１６のテーブル１６Ａに記憶されている転送先Ｂの電話番号を読み出して発信用外線１１Ｂを介してダイヤル発信することにより、転送先Ｂへの呼出を行う。この呼出に対して転送先Ｂの応答を検出すると、主制御部１５は外線Ｉ／Ｆ部１２を制御して着信用外線１１Ａを捕捉し着信に自動応答するとともに交換処理部１４を制御して着信用外線１１Ａと発信用外線１１Ｂ間の通話パスを接続する。これにより、ステップＳ１で発呼者Ａと転送先Ｂとの間の外線転送通話が行われる。
【００１８】
こうした発呼者Ａと転送先Ｂとが着信用外線１１Ａ，発信用外線１１Ｂを介して外線転送通話を行っているときに、新たな発呼者Ｃが転送先Ｂ宛に発呼すると、着信用外線１１Ａに着信割込が到来し（ステップＳ２）、主装置１０の主制御部１５はステップＳ３でこの着信割込の検出処理を行う。
この着信割込検出処理の中で主制御部１５は、この着信割込の際に検出した発呼者Ｃの発ＩＤと主記憶部１６内のテーブル１６Ｂの転送拒否番号とを比較し転送可否をチェックする転送可否チェック処理をステップＳ４で実行し、発呼者Ｃの発ＩＤが転送拒否番号に一致する場合は、ステップＳ５で発呼者Ｃの着信割込呼を転送先Ｂへ転送しないように処理し、終了する。
【００１９】
一方、発呼者Ｃの発ＩＤとテーブル１６Ｂの転送拒否番号とが一致しない場合は、主制御部１５はまずステップＳ６で図示しない保留音源から転送先Ｂへ保留音を送出させる。その後、主制御部１５は主記憶部１６内のテーブル１６Ｃに基づいて、発呼者Ｃの発ＩＤと、転送先Ｂと通話中の発呼者Ａの発ＩＤ（転送先Ｂへの着信時に予め受信されて主記憶部１６の所定の領域に記憶されている）との間の着信優先順位を決定する処理をステップＳ７で行う。
【００２０】
そして、主制御部１５は発呼者Ａの方が優先順位が高いと判断した場合は、ステップＳ８でフラッシュ送出部１８を制御することにより、着信用外線１１Ａへフラッシュ信号を送出して交換網１に対し着信用外線１１Ａの切替を行わせ、発呼者Ｃと外線Ｉ／Ｆ部１２間を接続させる。その後、主制御部１５はメッセージ送出部１９を駆動して、例えば、「只今通話中です」旨のメッセージを外線Ｉ／Ｆ部１２へ送出させる。このメッセージは着信用外線１１Ａ及び交換網１を介して発呼者Ｃへ伝達され、発呼者Ｃにより聴取される。
【００２１】
主制御部１５は前記メッセージの送出後、ステップＳ１０で転送先Ｂへの保留音の送出を停止する保留解除を行うとともに、ステップＳ１１でフラッシュ送出部１８を制御することにより、着信用外線１１Ａへフラッシュ信号を送出して交換網１に対し着信用外線１１Ａの切替を行わせ、発呼者Ａと外線Ｉ／Ｆ部１２間を再接続させる。これにより、発呼者Ａと転送先Ｂとの間の転送通話がステップＳ１２で再開される。
【００２２】
こうした転送通話中には、主制御部１５は発呼者Ａの終話に基づく着信用外線１１Ａからのビジートーンを検出する終話検出処理をステップＳ１３で実行しており、発呼者Ａが終話し外線Ｉ／Ｆ部１２を介して着信用外線１１Ａからのビジートーンが検出されると、ステップＳ１４で終話処理を行う。そして、この終話処理中のステップＳ１５においてフラッシュ送出部１８を制御することにより、着信用外線１１Ａへフラッシュ信号を送出して交換網１に対し着信用外線１１Ａの切替を行わせ、着信割込を行った発呼者Ｃと外線Ｉ／Ｆ部１２間を再接続させる。
ここで、着信割込を行った発呼者Ｃが既に発呼を放棄して交換網１側からのビジートーンが検出された場合は、主制御部１５は外線Ｉ／Ｆ部１２を制御して着信用外線１１Ａ及び発信用外線１１Ｂを開放するとともに、交換処理部１４を制御して着信用外線１１Ａと発信用外線１１Ｂ間の通話パスを切断する（ステップＳ１６）。
【００２３】
一方、着信割込を行った発呼者Ｃが発呼を放棄しておらずしたがって交換網１側からビジートーンが検出されない場合は、主制御部１５は、発呼者Ａと転送先Ｂとの間の通話終了まで発呼者Ｃが待機したものと見なして発呼者Ｃと転送先Ｂとの通話を行わせる（ステップＳ１６，Ｓ１７）。
その後、発呼者Ｃの終話に基づくビジートーンを検出すると、着信用外線１１Ａ及び発信用外線１１Ｂを開放するとともに、着信用外線１１Ａと発信用外線１１Ｂ間の通話パスを切断する。
【００２４】
次に、図５のシーケンス図にしたがって外線転送通話中の着信割込動作を詳細に説明する。図５の例は、前述したように、着信割込を行った発呼者Ｃの方が既に転送通話中の発呼者Ａより着信優先順位が高い場合の動作例である。
ここで、図５のステップＳ１〜Ｓ７の動作は既に説明した図４のステップＳ１〜Ｓ７の動作と同様であるので、その具体的説明は省略する。
発呼者Ａと転送先Ｂとが外線転送通話を行っているときに、新たな発呼者Ｃが転送先Ｂ宛に発呼すると、ステップＳ３の着信割込検出処理及びステップＳ４の転送不可チェック処理を経てステップＳ７でテーブル１６Ｃの設定内容に基づき、転送先Ｂと通話中の発呼者Ａの発ＩＤ（転送先Ｂへの着信時に予め受信されて主記憶部１６の所定の領域に記憶されている）と、新たに着信割込を行った発呼者Ｃの発ＩＤとの間の優先順位決定処理を行う。
【００２５】
ここで、主制御部１５は発呼者Ｃの方が優先順位が高いと判断した場合は、ステップＳ２１でメッセージ送出部１９を駆動して、例えば、「只今着信割込が入りました。着信割込者と通話しますのでしばらくお待ち下さい」旨のメッセージを外線Ｉ／Ｆ部１２へ送出させる。このメッセージは着信用外線１１Ａ及び交換網１を介して発呼者Ａへ伝達され、発呼者Ａにより聴取される。
【００２６】
主制御部１５は、前記メッセージの送出後、ステップＳ２２で転送先Ｂへの保留音の送出を停止する保留解除を行うとともに、フラッシュ送出部１８を制御することにより、着信用外線１１Ａへフラッシュ信号を送出して交換網１に対し着信用外線１１Ａの切替を行わせ、発呼者Ｃと外線Ｉ／Ｆ部１２間を接続させる。これにより、転送先Ｂは発呼者Ａとの通話から新たな発呼者Ｃとの通話へ移行する（ステップＳ２４）。
【００２７】
こうした転送先Ｂと発呼者Ｃとの通話中に、主制御部１５は発呼者Ｃの終話に基づく着信用外線１１Ａからのビジートーンを検出する終話検出処理をステップＳ２５で実行しており、発呼者Ｃが終話し外線Ｉ／Ｆ部１２を介して着信用外線１１Ａからのビジートーンが検出されると、ステップＳ２６で終話処理を行う。そして、この終話処理中のステップＳ２７においてフラッシュ送出部１８を制御することにより、着信用外線１１Ａへフラッシュ信号を送出して交換網１に対し着信用外線１１Ａの切替を行わせ、元の通話者である発呼者Ａと外線Ｉ／Ｆ部１２間を再接続させる。
ここで、元の通話者である発呼者Ａが既に発呼を放棄して交換網１側からのビジートーンが検出された場合は、主制御部１５は外線Ｉ／Ｆ部１２を制御して着信用外線１１Ａ及び発信用外線１１Ｂを開放するとともに、交換処理部１４を制御して着信用外線１１Ａと発信用外線１１Ｂ間の通話パスを切断する（ステップＳ２８）。
【００２８】
一方、元の通話者の発呼者Ａが発呼を放棄しておらずしたがって交換網１側からビジートーンが検出されない場合は、主制御部１５は、着信割込者である発呼者Ｃと転送先Ｂとの間の通話終了まで発呼者Ａが待機したものと見なして発呼者Ａと転送先Ｂとの通話を再開わせる（ステップＳ２８，Ｓ２９）。
その後、発呼者Ａの終話に基づくビジートーンを検出すると、着信用外線１１Ａ及び発信用外線１１Ｂを開放するとともに、着信用外線１１Ａと発信用外線１１Ｂ間の通話パスを切断する。
【００２９】
【発明の効果】
以上説明したように本発明によれば、主装置にボタン電話機を収容するとともに、予め着信用外線及び発信用外線の何れかの外線として設定された複数の外線を前記主装置に収容し、着信用外線の着信呼を検出すると発信用外線を介して予め設定された転送先へ発信し、着信用外線と発信用外線間を接続して着信呼を発信用外線へ転送する転送機能を有するボタン電話装置において、主装置は、転送機能に基づく通話中の着信用外線への着信割込呼の到来時にこの着信割込呼に伴って着信用外線へ到来する着信割込者の発ＩＤ等の情報を検出する検出手段と、着信用外線へ切替信号を送出し着信割込呼を発信用外線に接続する接続手段とを有し、検出手段が検出した着信割込者の情報に基づき接続手段を制御し着信割込呼の転送を制限するようにしたので、着信拒否機能や着信優先順位機能を有するボタン電話装置の転送通話時における着信割込の際に発ＩＤ通知機能を適用した場合、ボタン電話装置は本来自身が有する前記機能に応じて的確に着信割込呼の転送を制限することができ、したがって転送先が所望する着信割込呼のみを的確に転送先へ転送できる。
また、主装置は、着信割込者の情報を示す発ＩＤと予め記憶されている転送拒否番号とが一致すると、着信割込呼を転送先へ転送しないようにしたので、通話中の転送先に対する不要な着信割込呼の転送を阻止できる。
【００３０】
また、主装置は、着信割込時に、転送先と通話中の第１の相手先と着信割込者を示す第２の相手先との間の着信優先順位を判別し、第２の相手先の方が着信優先順位が低いと判別したときには切替信号を着信用外線へ送出して第２の相手先と接続しかつ所定のメッセージ信号を第２の相手先へ送出するとともに、このメッセージ信号の送出後、切替信号を着信用外線へ送出して第１の相手先と転送先との通話を続行させる一方、この通話の終話を検出すると切替信号を着信用外線へ送出して第２の相手先との接続を行い、第２の相手先が着信用外線に接続中の場合は転送先との通話を行わせるとともに、第２の相手先が着信用外線に接続されていない場合は着信用外線及び発信用外線間の接続を切断し、かつ着信用外線及び発信用外線を開放するようにしたので、優先順位の高い相手と通話中に優先順位の低い相手から着信割込があってもその相手に対し所定のメッセージを送出して待機させることが可能になるとともに、優先順位の高い相手との通話が終了すると、待機中の相手と通話を行わせることができる。
【図面の簡単な説明】
【図１】  本発明に係るボタン電話装置の構成を示すブロック図である。
【図２】  上記ボタン電話装置の転送機能を説明する説明図である。
【図３】  上記ボタン電話装置の主記憶部に設けられたテーブルの構成を示す図である。
【図４】  上記ボタン電話装置の要部動作を示すシーケンス図である。
【図５】  上記ボタン電話装置の要部動作を示すシーケンス図である。
【符号の説明】
１…交換網、５…ボタン電話装置、１０…主装置、１１…外線群、１１Ａ，１１Ｂ…外線、１２…外線Ｉ／Ｆ部、１３…内線Ｉ／Ｆ部、１４…交換処理部、１５…主制御部、１６…主記憶部、１６Ａ…転送先電話番号テーブル、１６Ｂ…転送拒否電話番号テーブル、１６Ｃ…着信優先順位電話番号テーブル、１７…情報受信部、１８…フラッシュ送出部、１９…メッセージ送出部、２０Ａ〜２０Ｎ…ボタン電話機（子機）、Ａ，Ｃ…発呼者、Ｂ…転送先。
【図１】
0003700554.tif 000002
【図２】
0003700554.tif 000003
【図３】
0003700554.tif 000004
【図４】
0003700554.tif 000005
【図５】
0003700554.tif 000006